(57)【要約】【課題】複数の透過型ホログラムを使用し、変化する像を観察者に観察させる。【解決手段】本発明に係る表示システムは、点光源を観察することで点光源の周囲に像を観察させるとともに、隣り合わせて配置されるとともに、異なる像を記憶した複数の透過型ホログラムと、観察者の観察位置と、複数の透過型ホログラムを挟んで反対に位置し、観察者が所定の動線上を移動しつつ、点光源を観察することで、観察者に対し、点光源の周囲に観察される像が変化しているように視認させる点光源と、を備えることを特徴とする。【選択図】図３
2018018092.tif 000002
【特許請求の範囲】
【請求項１】
複数の透過型ホログラムと、点光源と、を備え、前記透過型ホログラムと前記点光源は所定の位置関係を有し配置される表示システムであって、
前記透過型ホログラムは、前記点光源を観察することで前記点光源の周囲に像を観察させるとともに、各前記透過型ホログラムは、隣り合わせて配置されるとともに、異なる像を記憶し、
前記点光源は、観察者の観察位置と、前記複数の透過型ホログラムを挟んで反対に位置し、前記観察者が所定の動線上を移動しつつ、前記点光源を観察することで、前記観察者に対し、前記点光源の周囲に観察される前記像が変化しているように視認させることを特徴とする
表示システム。
【請求項２】
複数の透過型ホログラムと、点光源と、制御部を備え、前記透過型ホログラムと前記点光源は所定の位置関係を有し配置される表示システムであって、
前記透過型ホログラムは、前記点光源を観察することで前記点光源の周囲に像を観察させるとともに、各前記透過型ホログラムは、隣り合わせて配置されるとともに、異なる像を記憶し、
前記点光源は、観察者の観察位置と、前記複数の透過型ホログラムを挟んで反対に位置し、
前記制御部は、前記複数の透過型ホログラムの位置、もしくは、前記点光源の点灯位置を変化させることで、前記観察者に対し、前記点光源の周囲に観察される前記像が変化しているように視認させることを特徴とする
表示システム。
【請求項３】
複数の前記透過型ホログラムは、前記点光源を取り囲むように配置されていることを特徴とする
請求項１または請求項２に記載の表示システム。
【請求項４】
前記点光源を複数設けたことを特徴とする
請求項１から請求項３の何れか１項に記載の表示システム。
【請求項５】
複数の透過型ホログラムと、点光源と、を使用し、前記透過型ホログラムと前記点光源は所定の位置関係を有し配置されてなる表示方法であって、
前記透過型ホログラムは、前記点光源を観察することで前記点光源の周囲に像を観察させるとともに、各前記透過型ホログラムは、隣り合わせて配置されるとともに、異なる像を記憶し、
前記点光源は、観察者の観察位置と、前記複数の前記透過型ホログラムを挟んで反対に位置し、前記観察者が所定の動線上を移動しつつ、前記点光源を観察することで、前記観察者に対し、前記点光源の周囲に観察される前記像が変化しているように視認させることを特徴とする
表示方法。
【請求項６】
複数の透過型ホログラムと、点光源と、制御部を使用し、前記透過型ホログラムと前記点光源は所定の位置関係を有し配置されてなる表示方法であって、
前記透過型ホログラムは、前記点光源を観察することで前記点光源の周囲に像を観察させるとともに、各前記透過型ホログラムは、隣り合わせて配置されるとともに、異なる像を記憶し、
前記点光源は、観察者の観察位置と、前記複数の透過型ホログラムを挟んで反対に位置し、
前記制御部は、複数の前記透過型ホログラムの位置、もしくは、前記点光源の点灯位置を変化させることで、前記観察者に対し、前記点光源の周囲に観察される前記像が変化しているように視認させることを特徴とする
表示方法。
【発明の詳細な説明】
【技術分野】
【０００１】
本発明は、広告など観察者に対して各種情報を表示する表示システム並びに表示方法に関する。特に、点光源の周辺に絵柄を観察させることが可能な透過型ホログラムを使用した表示システム並びに表示方法に関する。
【背景技術】
【０００２】
従来、紙やプラスチック、金属等、さまざまな基材に情報を印刷（記録）した媒体が使用され、観察者に対して視覚的な情報を提供する表示システム、表示方法が行われている。このような表示システム、表示方法には、観察者に対して絵柄などの情報を観察させるホログラムを使用するものがある。
【０００３】
特許文献１〜３には、このようなホログラムを使用した表示システム、方法について、点光源を観察することで、情報を表示するものが開示されている。特許文献１には、うちわの一部に設けられたフーリエ変換レンズを通して点光源を観察することにより記録された印刷情報を観察させることが記載されている。特許文献２には、カードの一部に設けられたホログラム形成層を通して点光源を観察することにより画像やメッセージを観察することができる観察具について記載されている。特許文献３には、透過型ホログラムを他の部材と一体に形成し、広告宣伝媒体や装飾用部材等に使用することが記載されている。
【先行技術文献】
【特許文献】
【０００４】
【特許文献１】特開２００４−７７５４８号公報
【特許文献２】特許第４８２１９６３号公報
【特許文献３】特許第４９８４６５７号公報
【発明の概要】
【発明が解決しようとする課題】
【０００５】
従来、特許文献１〜３に開示されるホログラムを使用する場合、観察者はホログラムを点光源にかざすことで、ホログラムに記録された像を観察するものであった。そのため、観察者は、点光源を自分で探す、あるいは、点光源を用意する必要があり、点光源の無い環境下では、ホログラムに記録された像を観察することが困難であった。また、観察者がホログラムをかざす位置によってホログラムと点光源の位置関係が変化するため、像を提供、観察させる側が意図した像を観察させることも困難であった。
【課題を解決するための手段】
【０００６】
本発明は、このような課題を解決するものであって、そのため、以下の構成要件を有することを特徴としている。
本発明に係る表示システムは、
複数の透過型ホログラムと、点光源と、を備え、前記透過型ホログラムと前記点光源は所定の位置関係を有し配置される表示システムであって、
前記透過型ホログラムは、前記点光源を観察することで前記点光源の周囲に像を観察させるとともに、各前記透過型ホログラムは、隣り合って配置されるとともに、異なる像を記憶し、
前記点光源は、観察者の観察位置と、前記複数の透過型ホログラムを挟んで反対に位置し、前記観察者が所定の動線上を移動しつつ、前記点光源を観察することで、前記観察者に対し、前記点光源の周囲に観察される前記像が変化しているように視認させることを特徴とする。
【０００７】
また本発明に係る表示システムは、 複数の透過型ホログラムと、点光源と、制御部を備え、前記透過型ホログラムと前記点光源は所定の位置関係を有し配置される表示システムであって、
前記透過型ホログラムは、前記点光源を観察することで前記点光源の周囲に像を観察させるとともに、各前記透過型ホログラムは、隣り合って配置されるとともに、異なる像を記憶し、
前記点光源は、観察者の観察位置と、前記複数の透過型ホログラムを挟んで反対に位置し、
前記制御部は、前記複数の透過型ホログラムの位置、もしくは、前記点光源の点灯位置を変化させることで、前記観察者に対し、前記点光源の周囲に観察される前記像が変化しているように視認させることを特徴とする。
【０００８】
さらに本発明に係る表示システムにおいて、
複数の前記透過型ホログラムは、前記点光源を取り囲むように配置されていることを特徴とする。
【０００９】
さらに本発明に係る表示システムにおいて、前記点光源を複数設けたことを特徴とする。
【００１０】
また本発明に係る表示方法は、
複数の透過型ホログラムと、点光源と、を使用し、前記透過型ホログラムと前記点光源は所定の位置関係を有し配置されてなる表示方法であって、
前記透過型ホログラムは、前記点光源を観察することで前記点光源の周囲に像を観察させるとともに、各前記透過型ホログラムは、隣り合って配置されるとともに、異なる像を記憶し、
前記点光源は、観察者の観察位置と、前記複数の前記透過型ホログラムを挟んで反対に位置し、前記観察者が所定の動線上を移動しつつ、前記点光源を観察することで、前記観察者に対し、前記点光源の周囲に観察される前記像が変化しているように視認させることを特徴とする。
【００１１】
また本発明に係る表示方法は、
複数の透過型ホログラムと、点光源と、制御部を使用し、前記透過型ホログラムと前記点光源は所定の位置関係を有し配置されてなる表示方法であって、
前記透過型ホログラムは、前記点光源を観察することで前記点光源の周囲に像を観察させるとともに、各前記透過型ホログラムは、隣り合って配置されるとともに、異なる像を記憶し、
前記点光源は、観察者の観察位置と、前記複数の透過型ホログラムを挟んで反対に位置し、
前記制御部は、複数の前記透過型ホログラムの位置、もしくは、前記点光源の点灯位置を変化させることで、前記観察者に対し、前記点光源の周囲に観察される前記像が変化しているように視認させることを特徴とする。
【発明の効果】
【００１２】
本発明に係る表示システム、表示方法によれば、観察者となるユーザが、自身で点光源を用意する、あるいは、探すことを必要とすることなく、透過型ホログラムに記録された像を観察させることが可能となる。また、点光源と透過型ホログラムの位置関係も予め定められているため、広告主等、像を提供、観察させる側が意図した像を観察者に観察させることが可能となる。さらに、複数の透過型ホログラムが隣り合って配置されているため、観察者が動線状を移動する、透過型ホログラムが移動する、あるいは、点光源が移動することで、観察者に対して、変化する像を観察させることが可能となる。
【図面の簡単な説明】
【００１３】
【図１】本発明の実施形態に係る透過型ホログラムを説明するための図
【図２】本発明の実施形態に係る透過型ホログラムの製造過程を説明するための図
【図３】実施例１の表示システムについて、その構成と観察像の視認を示す図
【図４】実施例２の表示システムについて、その構成と観察像の視認を示す図
【図５】実施例３の表示システムについて、その構成と観察像の視認を示す図
【図６】実施例４の表示システムについて、その構成と観察像の視認を示す図
【図７】実施例５の表示システムについて、その構成と観察像の視認を示す図
【図８】本発明の他の実施形態に係る透過型ホログラムを説明するための図
【図９】本発明の他の実施形態に係る表示システムの構成を説明するための図
【図１０】本発明の他の実施形態に係る表示システムの構成を説明するための図
【図１１】本発明の他の実施形態に係る表示システムの構成を説明するための図
【図１２】本発明の他の実施形態に係る表示システムの構成を説明するための図
【図１３】本発明の他の実施形態に係る表示システムの構成を説明するための図
【図１４】本発明の他の実施形態に係る表示システムの構成を説明するための図
【図１５】本発明の他の実施形態に係る表示システムの構成を説明するための図
【発明を実施するための形態】
【００１４】
本発明に係る表示システム、並びに、表示方法について図を用いて説明を行う。図１は、本発明に係る表示システム、並びに、表示方法にて使用する透過型ホログラム１について説明するための図である。
【００１５】
図１に示す透過型ホログラム１は、板状の形状であって、ハート型の観察像Ｃを観察させるための情報が記録されている。透過型ホログラム１は、複数層で構成されており、以下に示す各種形態を採用することが可能である。なお、被着体とは建物の窓ガラス等、透過型ホログラム１が貼着される対象物のことをいう。
形態１：ホログラムの凹凸構造付き基材／粘着層／被着体
形態２：ホログラムの凹凸構造／基材／粘着層／被着体
形態３：ホログラムの凹凸構造付き基材／印刷層／粘着層／被着体
形態４：ホログラムの凹凸構造／基材／印刷層／粘着層／被着体
形態５：ホログラムの凹凸構造／印刷層／基材／粘着層／被着体
形態６：（部分的な）印刷層／ホログラムの凹凸構造／基材／粘着層／被着体
【００１６】
上述する各種形態中、基材、粘着層、被着体は透明でもよいし、着色された半透明であってもよい、何れの形態のおいても、透過型ホログラム１越しに配置される点光源Ａを観察可能とすることが必要とされる。また、基材、粘着層、被着体は、紫外線成分を吸収する成分を含有することとしてもよい。形態３、形態４では透明型ホログラム１に印刷層を介在させることとしている。印刷層に、半透明もしくは非透明の絵柄を設けることで、透過型ホログラム１によって観察される観察像の背景、あるいは、装飾部分となる。また、透過型ホログラム１は、上述する各種形態をガラス、あるいは、アクリル板等で挟むことで、強度を持たせることとしてもよい。
【００１７】
一方、点光源Ａは、観察者の視点位置Ｂに対して透過型ホログラム１を挟んで反対の位置に配置される。点光源Ａには、ＬＥＤ、ろうそく、ライターの火、レーザー光、ＥＬ（エレクトロルミネッセンス）素子、ＰＬ（フォトルミネッセンス）素子などを使用することが可能である。
【００１８】
本実施形態の表示システムでは、透過型ホログラム１と点光源Ａは、所定の位置に固定されている。透過型ホログラム１は、建物のガラス窓等の被着体への貼着、自立型、あるいは、フレームスタンドなどで所定位置に固定されている。点光源Ａも同様に、所定の位置に固定され、透過型ホログラム１と点光源Ａは所定の位置関係を有して配置されている。したがって、観察者は、理想的な透過型ホログラム１と点光源Ａの配置状態にて、点光源Ａの周囲に現れる観察像Ｃ、すなわち、広告主等、表示システムを設置する側が意図する観察像Ｃを観察させることが可能となる。なお、本発明では、透過型ホログラム１あるいは点光源Ａを移動させる形態もあるが、そのような形態においても、移動時の各状態にて、透過型ホログラム１あるいは点光源Ａが理想的な配置関係を有することで、表示システム接地側の意図に即した観察像Ｃを提供することが可能である。
【００１９】
図２には、透過型ホログラム１に使用するホログラム層の製造過程の例が示されている。まず、観察したい観察像の原画２１が用意される（図２（Ａ））。原画２１は、パーソナルコンピューターの画像作成ソフトを使用し、横２５６画素×縦２５６画素のビットマップ画像として作成した。次に、パーソナルコンピューターを使用し、原画２１に対してフーリエ変換を行うことでフーリエ変換像データ２２を形成する（図２（Ｂ））。このときフーリエ変換像データ２２は位相値を四値にしたフーリエ変換像データとしている。フーリエ変換像データの画素数は、原画像の画素数と同じ横２５６画素×縦２５６画素となった。
【００２０】
このフーリエ変換像データ２２を使用してマスター原版２３が作成される。マスター原版２３の作成は、電子ビーム描画露光およびエッチングにより行われる。この際、フーリエ変換像データ２２の１画素の寸法を横５μｍ×縦５μｍとしたため、フーリエ変換像の寸法は横１２８０μｍ×縦１２８０μｍとなった。このフーリエ変換像を、横１００個×縦１００個形成することで、横１２８ｍｍ×縦１２８ｍｍの大型のマスター原版２３を得た（図２（Ｃ））。なお、マスター原版２３の基板には合成石英を用いた。
【００２１】
このマスター原版２３を複製して複数のレプリカ版２４を作成する（図２（Ｄ））。レプリカ版２４の複製は、マスター原版２３に紫外線硬化性樹脂を塗布し、その上にレプリカ版用基板としてＰＥＴフィルムを押し付けた状態で紫外線照射をして紫外線硬化性樹脂を硬化させた後、マスター原版２３を剥離することで行われる。作成した複数のレプリカ版２４をローラーの周囲に幅方向５個×周方向５個となるように隙間無く配置することで、２５個のレプリカ版２４を表面に有するエンボスローラー２５を形成する（図２（Ｅ））。
【００２２】
ホログラム層の形成は、このエンボスローラー２５の表面に他のローラーを当接させ、両ローラー間に紫外線硬化樹脂を塗布したＰＥＴフィルムなどの基材２６を通過させることで行われる。紫外線硬化樹脂が塗布された基材が回転する両ローラー間を通過する際、エンボスローラー２５に配置されたレプリカ版２４のパターンが、紫外線硬化樹脂に転写される。レプリカ版２４のパターンが転写された紫外線硬化樹脂に対して、紫外線を照射することで、紫外線硬化樹脂を硬化させ、基板上にホログラム層２７が形成される。このような製造過程によって、図２（Ｆ）に示すような、大判のホログラム層２７を基板２６上に形成することが可能となる。
【００２３】
以上、透過型ホログラム１の製造過程について一例を説明したが、本発明に使用する透過型ホログラム１は、透過型ホログラム１を介在させて点光源を観察した際に観察像を観察できる形態であれば、その構成、並びに、その製造過程には各種形態を採用することが可能である。
【００２４】
では、本発明の表示システム、表示方法の各種実施形態（実施例１〜５）について図面を参照しつつ説明する。
【００２５】
（実施例１）
図３は、実施例１の表示システムについて、その構成と観察像の視認を示す図である。実施例１では、観察者が動線Ｄ上を移動することで変化する観察像を観察可能な形態となっている。なお、動線Ｄは、透過型ホログラム１ａ〜１ｃの前方に位置する通路、空間など観察者が移動可能な範囲のことをいう。観察者に良好な観察像Ｃ１〜Ｃ３を観察させるため、ラインを引く等、観察者に対して通路上に適切な動線Ｄを明示することとしてもよい。
【００２６】
実施例１〜３で説明する形態では、３つの透過型ホログラム１ａ〜１ｃが左右に隣り合って配置された形態となっている。本発明において、透過型ホログラム１が「隣り合う」とは、ある透過型ホログラム１と、その隣に位置する透過型ホログラム１を隙間無く配置する形態の他、透過型ホログラム１間に、透過型ホログラム１を支えるフレームが介在している等、ある透過型ホログラム１と、その隣に位置する透過型ホログラム１の間に僅かな隙間を有する形態であってもよい。各透過型ホログラム１ａ〜１ｃには、それぞれ異なる像が記録されており、ここでは、説明を分かりやすくするため、透過型ホログラム１ａはハート型の像を、透過型ホログラム１ｂは星形の像を、透過型ホログラム１ｃはスペード型の像を記録している。各透過型ホログラム１ａ〜１ｃに記録する像は、このように全く異なる絵柄ではなく、徐々に変化する絵柄を採用することとしてもよい。そのような場合、観察像は、絵柄が動くアニメーションとすることが可能となる。
【００２７】
図３の例では、観察者は動線Ｄ上を左側から右側へ移動している。まず、図３（Ａ）の視点位置Ｂ１では、観察者は透過型ホログラム１ａ越しに、点光源Ａを観察することで、点光源Ａの周囲に第１の観察像Ｃ１を観察する。観察者が右方向へ移動することで、図３（Ｂ）の状態、すなわち、視点位置Ｂ２では、観察者は透過型ホログラム１ｂ越しに、点光源Ａを観察することで、点光源Ａの周囲に第２の観察像Ｃ２を観察する。観察者がさらに右方向へ移動することで、図３（Ｃ）の状態、すなわち、視点位置Ｂ３では、観察者は透過型ホログラム１ｃ越しに、点光源Ａを観察することで、点光源Ａの周囲に第３の観察像Ｃ３を観察する。
【００２８】
このように実施例１では、観察者が動線Ｄ上を移動することで、異なる透過型ホログラム１ａ〜１ｃ越しに点光源Ａを観察し、結果としてＣ１、Ｃ２、Ｃ３の順に変化する観察像を観察することが可能となる。本実施形態では１の点光源Ａを配置することとしているが、点光源Ａは複数配置することとしてもよい。観察者は点光源Ａの数に対応した数の観察像Ｃを観察することが可能となる。
【００２９】
（実施例２）
図４は、実施例２の表示システムについて、その構成と観察像の視認を示す図である。この実施例２の形態では、実施例１では、観察者が動線Ｄ上を移動して観察していたのに対し、複数の透過型ホログラム１ａ〜１ｃが移動することによって、観察者に対して、変化する観察像Ｃ１〜Ｃ３を観察させることとしている。
【００３０】
各透過型ホログラム１ａ〜１ｃの構成は、実施例１と同様である。ただし、実施例２では、隣り合う複数の透過型ホログラム１ａ〜１ｃが一体で移動する点で異なっている。複数の透過型ホログラム１ａ〜１ｃの移動は、モータ等の駆動手段を備えた制御部（図示せず）により実行される。
【００３１】
図４の例では、複数の透過型ホログラム１ａ〜１ｃは、右側から左側へ移動している。また、観察者は固定位置（視点位置Ｂ）で点光源Ａを観察することとしている。まず、図４（Ａ）では、観察者は透過型ホログラム１ａ越しに、点光源Ａを観察することで、点光源Ａの周囲に第１の観察像Ｃ１を観察する。透過型ホログラム１ａ〜１ｃが左方向へ移動することで、図４（Ｂ）の状態、すなわち、観察者は透過型ホログラム１ｂ越しに、点光源Ａを観察することで、点光源Ａの周囲に第２の観察像Ｃ２を観察する。透過型ホログラム１ａ〜１ｃがさらに左方向へ移動することで、図４（Ｃ）の状態、すなわち、観察者は
透過型ホログラム１ｃ越しに、点光源Ａを観察することで、点光源Ａの周囲に第３の観察像Ｃ３を観察する。
【００３２】
このように実施例２では、隣り合う複数の透過型ホログラム１ａ〜１ｃが移動することで、観察者は、異なる透過型ホログラム１ａ〜１ｃ越しに点光源Ａを観察し、結果としてＣ１、Ｃ２、Ｃ３の順に変化する観察像を観察することが可能となる。実施例２においても、実施例１と同様、点光源Ａを複数配置することとしてもよい。
【００３３】
（実施例３）
図５は、実施例３の表示システムについて、その構成と観察像の視認を示す図である。この実施例３の形態では、実施例１では、観察者が動線Ｄ上を移動して観察していたのに対し、点光源Ａの移動することによって、観察者に対して、変化する観察像Ｃ１〜Ｃ３を観察させることとしている。
【００３４】
各透過型ホログラム１ａ〜１ｃの構成は、実施例１と同様である。ただし、実施例３では、点光源Ａが移動する点で異なっている。点光源Ａの移動は、モータ等の駆動手段を備えた制御部（図示せず）により実行される。なお、点光源Ａを移動することに代え、複数の点光源Ａを用意しておき、制御手段によって複数の点光源Ａの点滅を制御することで、点光源Ａが移動しているようにみせることとしてもよい。
【００３５】
図５の例では、点光源Ａは、左側から右側へ移動している。また、観察者は固定位置（視点位置Ｂ）で、移動する点光源Ａを観察することとしている。まず、図５（Ａ）では、観察者は透過型ホログラム１ａ越しに、点光源Ａを観察することで、点光源Ａの周囲に第１の観察像Ｃ１を観察する。点光源Ａが右方向へ移動することで、図５（Ｂ）の状態、すなわち、観察者は透過型ホログラム１ｂ越しに、点光源Ａを観察することで、点光源Ａの周囲に第２の観察像Ｃ２を観察する。点光源Ａがさらに右方向へ移動することで、図５（Ｃ）の状態、すなわち、観察者は透過型ホログラム１ｃ越しに、点光源Ａを観察することで、点光源Ａの周囲に第３の観察像Ｃ３を観察する。
【００３６】
このように実施例３では、点光源Ａが移動することで、観察者は、異なる透過型ホログラム１ａ〜１ｃ越しに点光源Ａを観察し、結果としてＣ１、Ｃ２、Ｃ３の順に変化する観察像を観察することが可能となる。実施例３においても、実施例１、２と同様、点光源Ａを複数配置することとしてもよい。
【００３７】
以上、実施例１〜実施例３では、観察者の動線上の移動（実施例１）、透過型ホログラム１ａ〜１ｃの移動（実施例２）、点光源Ａの移動（実施例３）によって、変化する観察像Ｃ１〜Ｃ３を観察者に視認させることが可能となっている。特に、透過型ホログラム１ａ〜１ｃと、点光源Ａの配置が予め設定された配置関係となっているため、提供する側の意図に即した情報（像による絵柄）を観察者に視認させることが可能である。なお、制御部は、実施例２では透過型ホログラム１ａ〜１ｃを移動させ、実施例３では点光源Ａを移動させることとしているが、制御部は透過型ホログラム１ａ〜１ｃと点光源Ａの両方を移動させ、観察像の変化を複雑にすることとしてもよい。
【００３８】
次に説明する実施例４、５は、上述した実施例１〜３の応用形態であり、特に、複数の透過型ホログラムが点光源Ａを取り囲むように配置された形態となっている。このような形態により、観察者は表示システムの周囲から観察像を観察することが可能であり、また、変化し続ける像を観察することも可能となる。
【００３９】
（実施例４）
図６は、実施例４の表示システムについて、その構成と観察像の視認を示す図である。
表示システムは、６面の透過型ホログラム１ａ〜１ｆで形成された六角柱とその内部に配置された点光源Ａにて構成されている。なお、多角柱を構成する面の数は適宜数とすることが可能である。
【００４０】
隣り合う透過型ホログラム１ａ〜１ｆには、それぞれ異なる像が記録されている。観察者は、透過型ホログラム１ａ〜１ｆで形成された六角柱周囲の動線Ｄ上を移動し、透過型ホログラム１ａ〜１ｆの何れかを介して点光源Ａを観察することで、点光源Ａの周囲に現れる観察像Ｃを観察する。図６は、視点位置Ｂにて透過型ホログラム１ａを介して点光源Ａを観察している状態であって、観察者は透過型ホログラム１ａに記録された第１の観察像Ｃ１を観察することとなる。
【００４１】
このように、点光源Ａを複数の透過型ホログラム１ａ〜１ｆで取り囲むことで、観察者は、動線Ｄの何れの位置からも観察像Ｃを観察することが可能となる。また、観察者が動線Ｄ上を移動することで、観察者は、各透過型ホログラム１ａ〜１ｆに記録されている異なる観察像Ｃ１〜Ｃ６を観察することとなり、変化する観察像を視認することが可能となる。
【００４２】
（実施例５）
図７は、実施例５の表示システムについて、その構成と観察像の視認を示す図である。表示システムは、６面の透過型ホログラム１ａ〜１ｆで形成された六角柱とその内部に配置された点光源Ａにて構成されている。なお、多角柱を構成する面の数は適宜数とすることが可能である。
【００４３】
隣り合う透過型ホログラム１ａ〜１ｆには、それぞれ異なる像が記録されている。また、透過型ホログラム１ａ〜１ｆで形成された六角柱は、モータ等の駆動手段を備えた制御部（図示せず）により、回転軸２を中心に回転可能となっている。隣り合う透過型ホログラム１ａ〜１ｆには、それぞれ異なる像が記録されている。六角柱が回転軸２を中心に回転することで、観察者は、透過型ホログラム１ａ〜１ｆの何れかを介して点光源Ａを観察し、点光源Ａの周囲に現れる観察像Ｃを観察する。図７は、視点位置Ｂにて透過型ホログラム１ａを介して点光源Ａを観察している状態であって、観察者は透過型ホログラム１ａに記録された第１の観察像Ｃ１を観察することとなる。
【００４４】
実施例５の形態は、パチンコやスロット等の遊技機の回転ドラム装置に適用することが考えられる。従来のパチンコ、スロット等の場合、回転ドラムの回転に伴い、回転ドラムの周囲に印刷された数字、絵柄などが上下方向に移動することとなる。回転ドラムに実施例５の表示システムを適用した場合、回転ドラムに相当する六角柱は、回転を行うが、観察像Ｃは、点光源Ａの周囲で静止した状態で観察されるため、遊戯機において新たな表現形態を提供することが可能となる。
【００４５】
特に、透過型ホログラム１ａ〜１ｆの一部に印刷層による絵柄を設けることで、観察者は、静止した観察像Ｃと回転移動する絵柄を同時に観察することが可能となる。また、本実施形態では、六角柱の何れの面についても、透過型ホログラム１ａ〜１ｆで形成することとしたが、６面の内、何れかの面を従来の回転ドラムと同様に、数字、絵柄が印刷された面で構成することも考えられる。観察者は、回転ドラムの回転により、従来の印刷面による回転する数字、絵柄と、透過型ホログラム１ａ〜１ｆによる静止した観察像Ｃを観察することが可能となる。
【００４６】
実施例１〜４では、観察者に対して水平方向に透過型ホログラムを隣り合わせているため、観察者の右眼と左眼で異なる観察像が観察される場合がある。この実施例５では、観察者に対して水平な方向に延在する回転軸２によって、回転ドラムを回転させている。したがって、透過型ホログラム１ａ〜１ｆは、観察者の上下方向に隣り合うこととなり、右眼と左眼で異なる観察像が観察されることを抑制し、良好な観察状態を提供することが可能となっている。
【００４７】
以上、実施例１〜実施例５を用いて、本発明に係る表示システム、表示方法を説明したが、表示システムで使用する透過型ホログラム１の形態、表示システム、方法の形態についてその応用例を説明する。
【００４８】
図８は、本発明の他の実施形態に係る透過型ホログラムを説明するための図である。実施例１〜実施例５では、板状（平面）の透過型ホログラム１ａ〜１ｃを使用することとしていたが、本発明で使用可能な透過型ホログラム１は、このような板状のみならず、図８に示すように曲面を有する形態であってもよい。透過型ホログラム１が曲面を形成することで、複数の透過型ホログラム１にて形成される形状のバリエーションを多様にすることが可能となる。
【００４９】
図９〜図１５には、本発明の他の実施形態に係る表示システムの構成を説明するための図が示されている。図９は、３枚の透過型ホログラム１ａ〜１ｃを円柱状に配置した形態である。この表示システムでは、図８で説明した曲面状の透過型ホログラムが使用される。円柱中に点光源Ａが配置されることで、観察者は、何れかの透過型ホログラム１ａ〜１ｃを介して観察像を観察することが可能となる。
【００５０】
図９の形態は、観察者に対して水平方向に透過型ホログラムを隣り合わせているため、観察者の右眼と左眼で異なる観察像が観察される場合がある。図９の形態においても図７で説明した実施例４と同様、円柱の軸中心を水平方向に配置する、すなわち、透過型ホログラム１ａ〜１ｃにて形成される円柱を、観察者に対して９０度回転させた配置とすることとしてもよい。このような配置によれば、実施例４と同様、透過型ホログラム１ａ〜１ｃを、観察者の上下方向に隣り合わせ、右眼と左眼で異なる観察像が観察されることを抑制することが可能となる。その際、実施例４と同様、軸中心で回転させることとしてもよい。
【００５１】
複数の透過型ホログラム１にて形成される表示システムの形状は、円柱に限らず各種形状を採用することが可能である。図１０に示される表示システムは、３枚の透過型ホログラム１ａ〜１ｃを三角柱状に配置した形態である。
【００５２】
また、点光源Ａを透過型ホログラム１で取り囲む際、複数の透過型ホログラム１で重ねて取り囲むこととしてもよい。図１１に示される表示システムは、点光源Ａを半径の異なる２つの円柱状の透過型ホログラム１ａ、１ｂにて２重に取り囲んだ形態となっている。なお、重ねる透過型ホログラム１の数は適宜数とすることが可能である。また、円柱状に限らず、平板状、曲面状などの形態においても重ねた形態を採用することが可能である。
【００５３】
このように複数の透過型ホログラム１を重ねて取り囲む形態では、透過型ホログラム中にホログラム形成箇所とホログラム非形成箇所を設けておき、観察位置から点光源Ａを観察する際、ホログラム形成箇所が重ならないようにすることが必要である。複数のホログラム形成箇所が重なった場合、観察者に対しては観察像が重なってしまい、所望の画像を観察することが困難となる。また、ホログラム非形成箇所には、非透明あるいは半透明の絵柄を設けることとしてもよい。透過型ホログラムに形成された絵柄、及び、点光源Ａの位置にて観察される観察像によって、立体感に優れた表示を行うことが可能となる。
【００５４】
図１２に示される表示システムは、下に向かって大径となる円錐形状を採用した形態である。このような形状では、観察者は、下方に位置する表示システムを見下ろすことで、点光源Ａの周囲に現れる観察像を観察することが可能となる。
【００５５】
図１３に示される表示システムは、球形状に形成された透過型ホログラム１を採用した形態である。このような形状では、観察者は、表示システムの周囲の何れの位置からも点光源Ａの周囲に現れる観察像を観察することが可能となる。なお、簡略化のため図には示していないが、透過型ホログラム１の面は、隣り合わせて配置された複数の透過型ホログラムで形成される。
【００５６】
図１４に示される表示システムは、３枚の透過型ホログラム１ａ〜１ｃを三角錘形状に配置した形態である。図１２の形態と同様、観察者は、下方に位置する表示システムを見下ろすことで、点光源Ａの周囲に現れる観察像を観察することが可能となる。
【００５７】
図１５に示される表示システムは、円柱形状の透過型ホログラム１ｂと半球形状の透過型ホログラム１ａとを組み合わせた形態となっている。このような形態では、表示システムの側面、あるいは、上方から点光源Ａを観察することで、点光源Ａの周囲に現れる観察像を観察することが可能となる。各透過型ホログラム１ａ、１ｂは、さらに複数の透過型ホログラムによって構成することとしてもよい。
【００５８】
以上、本発明の表示システム、表示方法について各種形態を説明したが、本発明によれば、表示システムを提供する側が、透過型ホログラム１と点光源Ａの配置を予め設定して提供するため、観察者となるユーザは、自身で点光源を用意する、あるいは、探す必要が無いとともに、表示システムの提供側で意図した観察像を観察者に観察させることが可能となる。さらに、複数の透過型ホログラムが隣り合わせて配置されているため、観察者が動線状を移動する、透過型ホログラムが移動する、あるいは、点光源が移動することで、観察者に対して、変化する像を観察させることが可能となる。
【００５９】
なお、本発明はこれらの実施形態のみに限られるものではなく、それぞれの実施形態の構成を適宜組み合わせて構成した実施形態も本発明の範疇となるものである。
【符号の説明】
【００６０】
１（１ａ〜１ｃ）…透過型ホログラム
２…回転軸
Ａ…点光源
Ｂ（Ｂ１〜Ｂ３）…観察位置
Ｃ（Ｃ１〜Ｃ３）…観察像
Ｄ…観察者の動線
【図１】
2018018092.tif 000003
【図２】
2018018092.tif 000004
【図３】
2018018092.tif 000005
【図４】
2018018092.tif 000006
【図５】
2018018092.tif 000007
【図６】
2018018092.tif 000008
【図７】
2018018092.tif 000009
【図８】
2018018092.tif 000010
【図９】
2018018092.tif 000011
【図１０】
2018018092.tif 000012
【図１１】
2018018092.tif 000013
【図１２】
2018018092.tif 000014
【図１３】
2018018092.tif 000015
【図１４】
2018018092.tif 000016
【図１５】
2018018092.tif 000017